(57)【要約】【課題】走行経路マップに基づいて作業走行する作業車による作業を、より適切な形態で管理することができる作業管理システムの提供。【解決手段】走行経路マップに沿って作業地を作業走行する作業車による作業を管理する作業管理システムは、作業地に関する情報を格納する作業地情報格納部６７と、作業地に対して設定された１つ以上の走行経路マップを格納する走行経路マップ格納部６８と、走行経路マップに基づく作業車の作業内容を格納する作業履歴格納部６９と、走行経路マップを検索条件として、作業履歴格納部６９から作業内容を抽出するデータ管理部６６と、抽出された作業内容を表示デバイス６０に表示するための表示データを生成する表示データ生成部６４を備えている。【選択図】図３
2018200639.tif 000002
【特許請求の範囲】
【請求項１】
走行経路マップに沿って作業地を作業走行する作業車による作業を管理する作業管理システムであって、
前記作業地に関する情報を格納する作業地情報格納部と、
前記作業地に対して設定された１つ以上の前記走行経路マップを格納する走行経路マップ格納部と、
前記走行経路マップに基づく前記作業車の作業内容を格納する作業履歴格納部と、
前記走行経路マップを検索条件として、前記作業履歴格納部から前記作業内容を抽出するデータ管理部と、
前記抽出された前記作業内容を表示デバイスに表示するための表示データを生成する表示データ生成部と、
を備えている作業管理システム。
【請求項２】
前記走行経路マップは、前記作業地の地図画像に重畳して表示デバイスに表示され、表示された前記走行経路マップの１つを選択することが、当該走行経路マップを前記検索条件とする入力操作とみなされる請求項１に記載の作業管理システム。
【請求項３】
選択操作された前記走行経路マップに基づく作業走行によって行われた作業を表す前記作業内容が、前記走行経路マップとともに表示デバイスに表示される請求項２に記載の作業管理システム。
【請求項４】
前記走行経路マップは、時系列で識別される形態で前記走行経路マップ格納部に格納されており、かつ
前記データ管理部は、作業時期を検索条件として、前記走行経路マップを前記走行経路マップ格納部から抽出する請求項１から３のいずれか一項に記載の作業管理システム。
【請求項５】
前記データ管理部は、作業時期を検索条件として、前記作業履歴格納部から前記作業内容を抽出する請求項１から４のいずれか一項に記載の作業管理システム。
【発明の詳細な説明】
【技術分野】
【０００１】
本発明は、走行経路マップに沿って作業走行する作業車による作業を管理する作業管理システムに関する。
【背景技術】
【０００２】
特許文献１による圃場管理システムは、圃場地図データを記録する圃場地図レイヤを有する地図データ記録部と、圃場に対する作業毎に生成された圃場作業データを機種別圃場作業レイヤに記録する圃場作業データ記録部と、圃場地図データと圃場作業データとを共通の座標位置でデータ管理するデータ管理部と、圃場作業データに基づいて圃場の営農評価を行う評価部とを備えている。さらに、ＧＰＳユニットを用いて算出された自車位置を継時的に処理し、作業車の走行軌跡を示す走行軌跡データを生成する走行軌跡データ生成部が備えられ、生成された走行軌跡データは圃場作業データに組み込まれる。この圃場作業データから求められる各圃場の営農評価を参照して、より適切な営農計画が企画される。
【０００３】
特許文献２による農業支援システムは、農作業と農作業期間とを関係付ける作業計画を圃場毎に設定する作業計画設定手段と、この作業計画を記憶する作業計画記憶手段と、農作業の完了または未完了を圃場毎に記憶する作業実績記憶手段と、作業計画に対する進捗状況の演算を行う演算手段と、進捗状況を表示する進捗表示手段とを備えている。演算手段は、同一の農作業を行う圃場を前記作業計画記憶手段から抽出した圃場群の中で農作業が完了している圃場の完了割合を演算し、進捗表示手段は、圃場の完了割合を進捗状況として表示する。これにより、圃場単位の作業計画に対する進捗状況の把握が簡単となる。
【先行技術文献】
【特許文献】
【０００４】
【特許文献１】特開２０１７−６８５３３号公報
【特許文献２】特開２０１５−４９８７１号公報
【発明の概要】
【発明が解決しようとする課題】
【０００５】
特許文献１及び特許文献２に開示されたシステムは、圃場単位の農作業のコンピュータ管理を実現し、農業におけるコンピュータ利用の道を開いている。但し、いずれのシステムも圃場単位で農作業をコンピュータ管理している。ところが現実では、広大な圃場や複雑な多角形状の圃場なども少なくはなく、そのような圃場では、圃場を複数の区画に分割して、区画毎に農作業が行われる。しかも、その農作業が、設定された走行経路マップ（走行経路地図データ）に沿って自動走行する作業車によって行われる場合、走行経路マップが分割された区画毎に設定される。特に、圃場が複雑な多角形状であれば、その面積は小さくても、複数の比較的単純な幾何形状の区画に分割され、その区画に走行経路マップが設定される。また、圃場の状態が一様でなく、局部的な特異な特性（軟らかな土、硬い土、傾斜した地面など）を有するのであれば、特性毎に圃場を分割し、分割された区画毎に作業車の作業走行も変更しなければならない。
【０００６】
上述した実情から、走行経路マップに基づいて作業走行する作業車による作業を、より適切な形態で管理することができる作業管理システムが要望されている。
【課題を解決するための手段】
【０００７】
本発明による作業管理システムは、走行経路マップに沿って作業地を作業走行する作業車による作業を管理するものであり、前記作業地に関する情報を格納する作業地情報格納部と、前記作業地に対して設定された１つ以上の前記走行経路マップを格納する走行経路マップ格納部と、前記走行経路マップに基づく前記作業車の作業内容を格納する作業履歴格納部と、前記走行経路マップを検索条件として、前記作業履歴格納部から前記作業内容を抽出するデータ管理部と、前記抽出された前記作業内容を表示デバイスに表示するための表示データを生成する表示データ生成部とを備えている。
【０００８】
この構成によれば、作業されるべき作業地に１つ以上の走行経路マップを設定することができ、設定された走行経路マップは走行経路マップ格納部に格納される。さらに、作業車が当該走行経路マップに沿って作業走行した際の作業内容が、作業履歴格納部に格納される。作業履歴格納部に格納された作業内容は、走行経路マップを検索条件として抽出することができ、表示デバイスに表示することができる。つまり、圃場単位ではなく、その圃場におけて作業走行のために設定された１つ以上の走行経路マップを検索条件として、作業内容の抽出が可能である。例えば、各区画に設定された走行経路マップに沿って、作業車が、異なる作業パラメータで作業走行を行っても、各区画単位の作業内容（作業履歴）、言い換えると各走行経路マップ単位の作業内容が抽出され、表示される。
【０００９】
本発明の好適な実施形態の１つでは、前記走行経路マップは、前記作業地の地図画像に重畳して表示デバイスに表示され、表示された前記走行経路マップの１つを選択することが、当該走行経路マップを前記検索条件とする入力操作とみなされる。この構成では、作業地で実施された作業内容を検索する際に、検索画面において作業地だけが表示されるのではなく、作業地とともに、当該作業地において設定された走行経路マップも表示される。表示された走行経路マップから、所望の走行経路マップを選択操作することで、この走行経路マップに沿って作業車が実施した作業内容が抽出される。
【００１０】
本発明の好適な実施形態の１つでは、選択操作された前記走行経路マップに基づく作業走行によって行われた作業を表す前記作業内容が、前記走行経路マップとともに表示デバイスに表示される。この構成では、走行経路だけでなく、その走行経路に沿って実施された作業走行による作業内容も同時に表示されるので、作業走行した作業車の把握が容易となる。
【００１１】
作業地の地質や形状は、経年変化するものではないが、作業地に設定される走行経路マップは、毎回の作業毎に変更される可能性がある。特に作業地が圃場で、作業車が農作業車の場合、作業は季節毎に毎年行われる。したがって、特定の作業時期の走行経路マップを抽出するためには、走行経路マップの属性値に、年月日のようなタイムスタンプが付与されている必要がある。そのためには、走行経路マップ格納部に格納される走行経路マップの属性値に走行経路マップが設定された作業年月日を加えるなどの方法を採用すれば、作業年月日によって走行経路マップを特定することができるので、好都合である。したがって、本発明の好適な実施形態の１つでは、前記走行経路マップは、時系列で識別される形態で前記走行経路マップ格納部に格納されており、かつ前記データ管理部は、作業時期（作業年月日など）を検索条件として、前記走行経路マップを前記走行経路マップ格納部から抽出するように構成されている。
【００１２】
作業地における作業内容を時系列で出力し、過去の作業の経緯を判定したり、今後の作業計画のために参照したりするために、本発明の好適な実施形態の１つでは、前記データ管理部は、作業時期を検索条件として、前記作業履歴格納部から前記作業内容を抽出するように構成されている。
【図面の簡単な説明】
【００１３】
【図１】作業管理システムを取り入れた作業車の一例としての自動走行可能なトラクタを示す側面図である。
【図２】作業地としての圃場に設定された２つの走行経路マップの一例を示す模式図である。
【図３】トラクタの制御系の機能を説明するための機能ブロック図である。
【図４】データベースモジュールにおけるデータ構造と、走行経路マップ単位の作業履歴の表示とを説明する模式図である。
【図５】表示デバイスに表示される画面の一例を示す画面図である。
【図６】表示デバイスに表示される画面の一例を示す画面図である。
【図７】表示デバイスに表示される画面の一例を示す画面図である。
【図８】表示デバイスに表示される画面の一例を示す画面図である。
【発明を実施するための形態】
【００１４】
次に、図面を用いて、本発明による作業管理システムを取り入れた作業車の実施形態の１つを説明する。この実施形態の作業車は、作業地としての圃場に設定された走行経路マップに沿って作業走行するトラクタである。図１は、そのようなトラクタの側面図である。図１に示されているように、このトラクタは、前輪１１と後輪１２とによって支持された車体１０の中央部に運転室２０が設けられている。車体１０の後部には、油圧式の昇降機構３１を介して、対地作業を行う作業装置としてのロータリ式の耕耘装置３０が装備されている。したがって、このトラクタの作業走行により、圃場が耕耘される。前輪１１は操向輪として機能し、その操舵角を変更することでトラクタの走行方向が変更される。前輪１１の操舵角は操舵機構１３の動作によって変更される。操舵機構１３には自動操舵のための操舵モータ１４が含まれている。手動走行の際には、前輪１１の操舵は運転室２０に配置されているステアリングホイール２２の操作によって行われる。このトラクタは、自車位置検出機能を実現するために、トラクタのキャビン２１に、衛星測位モジュール８０を備えている。衛星測位モジュール８０の構成要素として、ＧＮＳＳ（global navigation satellite system）信号（ＧＰＳ信号を含む）を受信するための衛星用アンテナがキャビン２１の天井領域に取り付けられている。さらに、この衛星測位モジュール８０による衛星航法を補完するために、ジャイロ加速度センサや磁気方位センサを組み込んだ慣性航法モジュール８１が備えられている。衛星測位モジュール８０と慣性航法モジュール８１とは、同じユニットハウジングに組み込むことも可能である。運転室２０には、この実施形態では、タブレットコンピュータによって構成されている汎用端末装置６が操縦席に設置されたクレードルに装着されている。この汎用端末装置６は、無線データ伝送機能を備えており、クレードルから取り外して、監視者が作業車の外部に持ち出しても、トラクタの制御系との間でデータ通信可能である。汎用端末装置６は、運転者や管理者に情報を提供する機能と、運転者や管理者からの情報を入力する機能とを有する。
【００１５】
図２には、複数の圃場が示されており、今回の作業対象となっている圃場は、太線枠で囲まれている。この圃場は、変形六角形であるが、中央に区画線を設定して、単純な四角形である第１区画と第２区画に分割されている。第１区画には、長い直線経路をＵターン経路でつないだ走行経路を有する走行経路マップが設定されている。第２区画には、四角形渦巻き状の走行経路を有する走行経路マップが設定されている。この例では、第１区画と第２区画とに別形状の走行経路マップが設定されているが、もちろん同様な形状の走行経路マップが設定されてもよいし、さらに異なった形状の走行経路マップが設定されてもよい。また、圃場の地面状態（硬軟、傾斜など）の違いにから圃場を複数の区画に分割する場合には、同じ形状の走行経路マップが設定されても、その走行経路マップに沿って作業走行する際に記録される作業内容の１つとしてのトラクタの制御パラメータ（車速や耕耘深さなど）が異なって設定される。
【００１６】
図３には、作業車の制御系の機能ブロック図が示されている。この実施形態の制御系は、1つ以上のＥＣＵからなる制御ユニット５と、無線モジュール７０と、衛星測位モジュール８０と、慣性航法モジュール８１と、汎用端末装置６とを備えている。制御ユニット５は、トラクタの車載ＬＡＮに固定的に接続されている。汎用端末装置６は、クレードル及び車載ＬＡＮを介して制御ユニット５と接続される。ただし、クレードルから取り外され、車外に持ち出された汎用端末装置６は、無線モジュール７０を介して、制御ユニット５と接続可能である。衛星測位モジュール８０及び慣性航法モジュール８１は、車載ＬＡＮを介して制御ユニット５と接続されている。
【００１７】
汎用端末装置６は、実質的には、タブレットコンピュータのような無線通信機能を有するコンピュータであり、タッチパネル６０や入出力処理部６１などが標準機能として備えられている。タッチパネル６０は、グラフィックインターフェース機能を有し、表示デバイスや入力デバイスとして用いられる。入出力処理部６１は、無線または有線で入力されたデータや無線または有線で出力されるデータの処理を行う。さらに、この汎用端末装置６には、走行経路生成部６２及び作業走行管理モジュール６３を実現するコンピュータプログラムがインストールされている。作業走行管理モジュール６３には、表示データ生成部６４とデータベースモジュール６５が含まれている。データベースモジュール６５は、汎用端末装置６のメモリを用いて、作業走行に関する情報をデータベース化する。表示データ生成部６４は、データベースモジュール６５によって管理されている作業走行に関する情報を、タッチパネル６０に表示するための表示データを生成する。
【００１８】
走行経路生成部６２は、圃場外形データや圃場の出入口の位置や形状を示す出入口位置データに基づいて、走行経路マップを生成する。その際、ユーザの指示等に基づいて、圃場が複数の区画に分割された場合は、走行経路生成部６２は、当該区画毎に走行経路マップを生成する。走行経路マップの作成のために必要な、圃場の地図データや圃場外形データなどは、クラウドコンピュータ９からのダウンロード、あるいはポータブルメモリなどからの読み込みで入力される。
【００１９】
制御ユニット５は、入出力インタフェースとして、出力処理部７と入力処理部８とを備えている。出力処理部７は、車両走行機器群７１及び作業装置機器群７２と接続している。車両走行機器群７１には、車両走行に関する制御機器、例えばエンジン制御機器、変速制御機器、制動制御機器、操舵制御機器などが含まれている。作業装置機器群７２には、耕耘装置３０への動力伝達を入り切りするＰＴＯクラッチなどの動力制御機器や、耕耘装置３０を昇降させる昇降機構３１の昇降シリンダ制御機器などが含まれている。
【００２０】
入力処理部８には、走行系検出センサ群８２、作業系検出センサ群８３、走行モード切替器８４などが接続されている。走行モード切替器８４は、自動操舵で走行する自動走行モードと、手動操舵で走行する手動操舵モードとのいずれかを選択するスイッチである。例えば、自動操舵モードで走行中に走行モード切替器８４を操作することで、手動操舵での走行に切り替えられ、手動操舵での走行中に走行モード切替器８４を操作することで、自動操舵での走行に切り替えられる。走行系検出センサ群８２には、エンジン回転数調整具、アクセルペダル、ブレーキペダル、ステアリングホイール２２などの操作具の状態を検出するセンサが含まれている。作業系検出センサ群８３には、耕耘装置３０の駆動状態や姿勢を検出するセンサなどが含まれている。
【００２１】
制御ユニット５には、作業走行制御モジュール５０、自車位置算出部５７、作業内容記録部５８が備えられている。自車位置算出部５７は、衛星測位モジュール８０から逐次送られてくる測位データに基づいて、車体１０の座標位置（地図座標または圃場座標）である自車位置を算出する。その際、測位データの欠落や測位データエラーが生じた場合には、慣性航法モジュール８１からの測定データに基づいて、自車位置が算出される。
【００２２】
作業内容記録部５８は、走行系検出センサ群８２、作業系検出センサ群８３、走行モード切替器８４からの信号、作業走行制御モジュール５０で取り扱われる内部データ、運転者や監視者による手動操作入力などに基づいて、このトラクタの作業走行における種々の情報を含む作業内容を継時的（タイプスタンプ等の付与）に記録する。さらに、作業内容記録部５８によって記録される作業内容には、運転者または監視者に対する警告情報が含まれている。警告情報には、車体１０の許容以上の傾斜、目標走行経路に対する自車位置の許容以上の位置ずれ、オーバーヒートなどのエンジントラブル、燃料切れ、バッテリ切れ、などがある。
【００２３】
作業走行制御モジュール５０には、走行制御部５１、作業制御部５２、エンジン制御部５３、自動作業走行指令部５４、走行経路設定部５５、協調走行管理部５６が含まれている。走行制御部５１は、操舵モータ１４などの車両走行機器群７１を制御する。この作業車は自動走行（自動操舵）と手動走行（手動操舵）の両方で走行可能である。このため、走行制御部５１は、手動走行制御機能と自動走行制御機能とを有する。手動走行制御機能が実行されている場合、運転者による操作に基づいて車両走行機器群７１が制御される。自動走行制御機能が実行されている場合、自動作業走行指令部５４から与えられる自動操舵指令に基づいて、走行制御部５１が車両走行機器群７１を制御する。作業制御部５２は、耕耘装置３０の動きを制御するために、作業装置機器群７２に作業制御信号を与える。エンジン制御部５３は、エンジンの動作機器にエンジン制御信号を与える。
【００２４】
走行経路設定部５５は、汎用端末装置６の走行経路生成部６２によって生成された走行経路マップを取り込み、トラクタの自動走行のための目標走行経路として、メモリに展開する。この走行経路マップは、手動走行の場合には、作業車が当該走行経路に沿って走行するためのガイダンスのために利用できる。
【００２５】
自動作業走行指令部５４は、走行経路設定部５５によって目標走行経路として設定された走行経路マップと、自車位置算出部５７によって算出された自車位置との間の方位ずれ及び位置ずれを算出し、その方位ずれ及び位置ずれを解消する自動操舵指令を生成して、走行制御部５１に与える。さらに、自動作業走行指令部５４は、作業制御部５２に、自車位置や自車の走行状態に応じて、作業装置動作指令を与える。
【００２６】
協調走行管理部５６は、協調相手のトラクタの走行状態や作業状態を取得し、協調相手のトラクタの作業走行を制御する機能、及び協調相手の作業車から自己の作業走行を制御される機能を有する。協調走行を実施する前には、指示された協調走行パターンに基づいて、走行経路生成部６２は、協調走行に参加するトラクタの走行経路マップを生成する。つまり、走行経路マップは、協調走行に参加するトラクタ毎に生成される。
【００２７】
汎用端末装置６のデータベースモジュール６５は、データ管理部６６、作業地情報格納部６７、走行経路マップ格納部６８、作業履歴格納部６９からなる。作業地情報格納部６７は、この実施形態では、圃場の地図位置や外形データ、育成農産物の種類などの圃場に関する情報を格納している。走行経路マップ格納部６８は、各圃場（作業地）に、前記走行経路生成部６２で生成され、走行経路設定部５５で設定された１つ以上の走行経路マップを格納する。走行経路マップは同じ作業地または作業地を分割した区画に、時期に応じて異なる形で設定されることがある。このため、走行経路マップは、時系列で識別される形態で走行経路マップ格納部６８に格納される。これにより、データ管理部６６は、例えば作業年月日を検索条件として、走行経路マップを抽出することができる。作業履歴格納部６９は、走行経路マップに基づく作業走行において作業内容記録部５８に記録された作業内容を、対応する走行経路マップとリンクされた形で収納する。この作業内容も、時系列で識別される形態で作業履歴格納部６９に格納される。したがって、データ管理部６６は、作業年月日を検索条件として、作業内容を抽出することができる。
【００２８】
データ管理部６６は、ユーザによって入力された検索条件と一致するデータを、作業地情報格納部６７、走行経路マップ格納部６８、作業履歴格納部６９から抽出して、表示データ生成部６４に与える。また、データ管理部６６は、各種情報を、作業地情報格納部６７、走行経路マップ格納部６８、作業履歴格納部６９に振り分けて、格納する。表示データ生成部６４に与えられたデータは、前設定されているテンプレートと形式を用いて、表示データ化され、タッチパネル６０に表示される。
【００２９】
図４を用いて、データベースモジュール６５におけるデータ構造と、走行経路マップ単位の作業履歴の表示とを説明する。図４に示すように、作業地情報格納部６７では、作業地情報（圃場情報）が、作業地の位置及び外形を示す作業地画像とリンクして、格納されている。走行経路マップ格納部６８では、走行経路マップが、作業地とリンクして、あるいは、作業地が複数区画に分割されている場合にはその分割された区画とリンクして、格納されている。作業履歴格納部６９は、作業内容を、対応する走行経路マップとリンクして、格納する。
【００３０】
図４の例では、表示デバイスであるタッチパネル６０に、作業地における複数の区画からさらに選択された区画における作業履歴を表示する過程が示されている。まず、処理対象となる作業地の周辺を示す地図画像が、地図画像データから切り取られる。次に、処理対象となる作業地を検索条件として、作業地情報格納部６７が抽出した作業地情報にリンクしている当該作業地の作業地画像が、作業地周辺の地図画像に割り当てられる。その際、当該作業地が区画されている場合、その区画線も割り当てられる。さらに、選択された作業地に属する２つの走行経路マップが作業地画像に重畳するような表示データが生成され、タッチパネル６０に表示される。ユーザによって、タッチパネル６０に表示された２つの走行経路マップから所望の１つを選択されると、選択された走行経路マップを検索条件として、対応する作業履歴が、作業履歴格納部６９から抽出され、タッチパネル６０に表示される。別の走行経路マップが選択されると、当該走行経路マップにリンクしている作業内容が表示される。つまり、選択操作された走行経路マップに基づく作業走行によって行われた作業を表す前記作業内容が、走行経路マップとともにタッチパネル６０に表示される。
【００３１】
図５から図８には、所望する作業地における作業履歴をデータベースモジュール６５から抽出して、タッチパネル６０に表示する過程でのタッチパネル６０の画面の遷移が示されている。
【００３２】
図５では、作業走行管理モジュール６３による圃場管理に用いられる管理プログラムをタッチパネル６０に構築されているグラフィックインターフェースを利用して起動するためのスタート画面である。このスタート画面で、履歴ボタンをクリックすると、図６に示す検索条件画面が表示される。この検索条件画面では、ユーザが属する地区の圃場群の地図画像が表示されるともに、ユーザに関係する圃場が他の圃場を識別された形態（図６では斜線）で表示されている。さらに、この圃場に対して設定された時期内で設定されていた走行経路マップを示すマップ領域が太線枠で示されている。このマップ領域をクリックすることで、図７に示すように、このマップ領域の走行経路マップに基づく作業走行における作業内容が、作業内容表示欄に表示される。図７では、圃場群の地図画像も横並びで表示されている。長期間にわたる作業内容が表示されている場合には、作業日絞込み欄を利用して、さらに作業日の期間を絞込むことができる。
【００３３】
図７において、作業内容表示欄に隣接して配置されているボタン群のうちから詳細表示ボタンをクリックすると、図８に示される作業履歴詳細表示画面が表示される。この画面では、作業内容の詳細とともに、対応する走行経路マップの詳細図も示されている。
【００３４】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【００３５】
〔別実施の形態〕
（１）上述した実施形態では、作業走行管理モジュール６３が汎用端末装置６に構築されていたが、作業走行管理モジュール６３を制御ユニット５に構築することが可能である。その際、タッチパネル６０による表示機能や入力操作機能は、車体１０に装備されているディスプレイ及び操作ボタン、あるいは車体１０に装備されているタッチパネルに委譲することになる。また、作業走行管理モジュール６３の一部を、例えばデータベースモジュール６５を制御ユニット５に構築することも可能である。さらいは、データベースモジュール６５をクラウドコンピュータ９に構築することも可能である。
（２）上述した実施形態では、走行経路生成部６２は汎用端末装置６に構築されていたが、走行経路生成部６２を制御ユニット５やクラウドコンピュータ９に構築することも可能である。
（３）図３で示された各機能部は、主に説明目的で区分けされている。実際には、各機能部は他の機能部と統合してもよいし、またはさらに複数の機能部に分けてもよい。
（４）上述した実施形態では、本発明の作業管理システムを組み込んだ作業車として、耕耘装置３０を作業装置として装備したトラクタを取り上げたが、そのようなトラクタ以外にも、例えば、田植機、施肥機、コンバインなどの農作業車、建設作業車両、などの種々の作業車にも、本発明の作業管理システムを組み込むことが可能である。
【産業上の利用可能性】
【００３６】
本発明は、走行経路マップに沿って作業地を作業走行する作業車による作業を管理する作業管理システムに適用可能である。
【符号の説明】
【００３７】
５    ：制御ユニット
５０  ：作業走行制御モジュール
５１  ：走行制御部
５４  ：自動作業走行指令部
５５  ：走行経路設定部
５６  ：協調走行管理部
５７  ：自車位置算出部
５８  ：作業内容記録部
６    ：汎用端末装置
６０  ：タッチパネル
６１  ：入出力処理部
６２  ：走行経路生成部
６３  ：作業走行管理モジュール
６４  ：表示データ生成部
６５  ：データベースモジュール
６６  ：データ管理部
６７  ：作業地情報格納部
６８  ：走行経路マップ格納部
６９  ：作業履歴格納部
８０  ：衛星測位モジュール
８１  ：慣性航法モジュール
８２  ：走行系検出センサ群
８３  ：作業系検出センサ群
【図１】
2018200639.tif 000003
【図２】
2018200639.tif 000004
【図３】
2018200639.tif 000005
【図４】
2018200639.tif 000006
【図５】
2018200639.tif 000007
【図６】
2018200639.tif 000008
【図７】
2018200639.tif 000009
【図８】
2018200639.tif 000010